(57)【要約】【課題】係止穴に対する取り付け及び取り外しが簡単に行え、通常展示時には、脱落を確実に防止することができ、しかも係止穴または係止穴部材に対して横揺れしないように固定できる陳列用具、及びこれに使用するストッパを簡単な構造によって提供すること。【解決手段】係止穴２１０に挿入して係合される係止爪１１を有した基部１０と、この基部１０に一体化されたストッパ３０とを備え、このストッパ３０を、基部１０に一体化されるベース部材と、当該ストッパ３０の前面に形成されて当該陳列用具１００が係止穴２１０に取り付けられたとき、壁や陳列什器、あるいは係止穴部材２００の表面２２０に当接して、各係止爪１１の挿入方向に直交する当接面３２とを備えたものとしたこと。【選択図】図１
2010051341.tif 000002
【特許請求の範囲】
【請求項１】
壁や陳列什器、あるいは係止穴部材に設けられた係止穴に取り付けられて、物品を陳列するために使用される陳列用具であって、
前記係止穴に挿入して係合される係止爪を有した基部と、この基部に一体化されたストッパとを備え、
このストッパを、前記基部に一体化されるベース部材と、当該ストッパの前面に形成されて当該陳列用具が前記係止穴に取り付けられたとき、この係止穴の周囲に存在する、前記壁や陳列什器、あるいは係止穴部材の表面に当接して、前記各係止爪の挿入方向に直交する当接面とを備えたものとしたことを特徴とする陳列用具。
【請求項２】
前記ストッパの前面に形成してある当接面を、前記基部に対して進退可能にしたことを特徴とする請求項１に記載の陳列用具。
【請求項３】
前記当接面を有する部材を、前記ベース部材に対して螺進螺退可能にしたことを特徴とする請求項１または請求項２に記載の陳列用具。
【請求項４】
前記当接面を有する部材と前記ベース部材との間にスプリングを介装して、前記当接面を前記基部に対して進退可能にしたことを特徴とする請求項１または請求項２に記載の陳列用具。
【請求項５】
前記当接面の一部に、前記係止穴内に侵入し得る係止ピンを設けたことを特徴とする請求項１〜請求項４の何れかに記載の陳列用具。
【請求項６】
前記ストッパ側のベース部材に、前記係止穴内に侵入し得る係止ピンを進退可能に設けたことを特徴とする請求項１に記載の陳列用具。
【請求項７】
壁や陳列什器、あるいは係止穴部材に設けられた係止穴に挿入して係合される係止爪を有した基部、またはこの基部に一体化された支持部分に取り付けられて、物品を陳列するための陳列用具を固定するストッパであって、
このストッパを、前記基部または支持部分に連結されるベース部材と、当該ストッパの前面に形成されて当該陳列用具が、前記壁や陳列什器、あるいは係止穴部材に取り付けられたとき、前記壁や陳列什器、または係止穴部材の表面に当接して、前記各係止爪の挿入方向に直交する当接面とを備えたものとしたことを特徴とするストッパ。
【発明の詳細な説明】
【技術分野】
【０００１】
本発明は、陳列用具に関し、特に壁や陳列什器に取り付けられて、物品を陳列する陳列用具、及びこれに使用するストッパに関するものである。
【背景技術】
【０００２】
この種の陳列用具は、壁や陳列什器に直接設けた係止穴、あるいは壁や陳列什器に取り付けた係止穴部材（サポート部材と呼ばれることもある）に設けた係止穴を利用して、これらの壁や陳列什器等に取り付けられるものであるが、この陳列用具は、図１２の（ａ）〜（ｄ）に示すような衣服を掛けたハンガーを吊下したり、帽子や手袋、バッグ、装身具、時計等の身回品を掛けたりする「陳列用ブラケット」、図１３に示すような陳列棚を受ける「陳列棚用ブラケット」、そして図１４に示すような係止バーを支持する「ハンガーブラケット」等、種々なタイプのものがある。
【０００３】
また、この種の陳列用具は、図１２にも示したように、壁や陳列什器に取り付けた係止穴部材や、陳列什器の柱を構成している係止穴部材を利用して取り付けられるものであり、これらの係止穴部材には、図１にも示すような係止穴（スリット）が形成してある。そのために、この種の陳列用具は、図１５にも示すように、各係止穴に係合するための係止爪を備えているのが一般的である。
【０００４】
そして、この種の陳列用具は、季節に合った商品の展示を行うため、あるいは店舗の改装に応じて、そのレイアウトを変更しなければならないが、その場合には、その係止爪を各係止穴から外して別の係止穴に係合させなければならないし、別の陳列用具を採用することもある。何れにしても、陳列用具を使用する店舗の改修等を行うには、各係止爪を、壁や陳列什器に直接設けた係止穴、あるいは壁や陳列什器に取り付けた係止穴部材の係止穴に対して取り付けたり取り外したりしなければならない。
【０００５】
以上のような陳列用具の係止穴に対する取り付けや取り外し操作を行い易くするために、当然のことながら、各係止穴の大きさは、図２の（ａ）にも示すように、係止爪に対して少し大きめにしてある。つまり、係止穴部材に対して取り付けた陳列用具の各係止爪と、各係止穴との間には少しクリアランスが存在しているのであり、このクリアランスの存在によって陳列用具が横揺れすることがあり、支持部分から衣服等を外す際や、例えば地震発生時等において、各係止爪が破損したり、陳列用具自体が係止穴から不用意に外れてしまうことがあり得る。
【０００６】
このような陳列用具の横揺れ防止を図るために、例えば、特許文献１においてその対策が施されている。
【０００７】
【特許文献１】特開２００７−２０７４２号公報、要約
【発明の開示】
【発明が解決しようとする課題】
【０００８】
この特許文献１には、「横揺れ防止が必要なブラケットに対して簡単に横揺れを防止させることができるブラケットを提供すること」を目的とした「陳列棚用ブラケット」が提案されている。この「陳列棚用ブラケット」は、図１５にも示すように、「サポート部材１０２に上下多段に設けられたスリット１０７に挿入されるブラケット１の後端に設けられた係止フック１０と、この係止フック１０の前方部に設けられたリブ凹所１２と、このリブ凹所１２に係合するリブ２２が設けられブラケット１に摺動自在に装着される板状の揺れ止め部材２と、を備える。揺れ止め部材２は、スリット１０７と係止フック１０間の間隙に嵌め込まれる突出リブ２１が形成されている」といった構成を有しているものである。
【０００９】
つまり、この特許文献１の「陳列棚用ブラケット」では、「横揺れ防止」を果たすことが十分行えるとは思うが、「ブラケット１に摺動自在に装着した板状の揺れ止め部材２に突出リブ２１を形成し、この突出リブ２１が、（サポート部材１０２側の）スリット１０７と係止フック１０間の間隙に嵌め込まれる」ようにしなければならないものとなっているから、当該陳列棚用ブラケットの変更時等の作業は簡単ではない。
【００１０】
すなわち、この特許文献１の「陳列棚用ブラケット」では、ブラケット（以下、陳列用具という）の展示位置の変更を行おうとすると、サポート部材（係止穴部材）側に深く食い込んでいる上記「板状の揺れ止め部材２」を「抜き出し」て、位置が決まればこれの「差し込み」及び固定を行わなければならないから、相当の手間が必要となるものと思われる。
【００１１】
特に、この種の「陳列用具」は、陳列什器や壁に直接設けられている係止穴、または陳列什器や壁に設けられている係止部材の係止穴に取り付けられて、商品を陳列什器や壁から大きく突出させた状態で陳列するものであり、火災や地震が発生したときには、この種の陳列用具が製品とともに落下しないようにしっかりと固定しておかなければならない。勿論、火災が発生したり地震余地情報が発令されたときには、この種の陳列用具を製品とともに早急に取り外さなければならないが、そのような緊急の際に、当該陳列用具の取り外し作業が手間取るようでは、問題となると考えられるのである。
【００１２】
そこで、本発明者等は、この種の「陳列用具」について、その係止穴に対する取り付け及び取り外しが簡単に行え、通常展示時には、当該陳列用具が係止穴に対して横揺れしないように、しかも簡単には外れないように固定するにはどうしたらよいか、について種々検討を重ねてきた結果、本発明を完成したのである。
【００１３】
すなわち、本発明の目的とするところは、係止穴に対する取り付け及び取り外しが簡単に行え、通常展示時には、脱落を確実に防止することができ、しかも係止穴または係止穴部材に対して横揺れしないように固定できる陳列用具、及びこれに使用するストッパを簡単な構造によって提供することにある。
【課題を解決するための手段】
【００１４】
以上の課題を解決するために、まず、請求項１に係る発明の採った手段は、後述する最良形態の説明中で使用する符号を付して説明すると、
「壁や陳列什器、あるいは係止穴部材２００に設けられた係止穴２１０に取り付けられて、物品を陳列するために使用される陳列用具１００であって、
係止穴２１０に挿入して係合される係止爪１１を有した基部１０と、この基部１０に一体化されたストッパ３０とを備え、
このストッパ３０を、基部１０に一体化されるベース部材３１と、当該ストッパ３０の前面に形成されて当該陳列用具１００が係止穴２１０に取り付けられたとき、壁や陳列什器、あるいは係止穴部材２００の表面２２０に当接して、各係止爪１１の挿入方向に直交する当接面３２とを備えたものとしたことを特徴とする陳列用具１００」
である。
【００１５】
すなわち、この請求項１に係る陳列用具１００は、壁や陳列什器に取り付けられた係止穴部材２００の係止穴２１０、または壁や陳列什器に直接設けられた係止穴２１０に挿入して係合される係止爪１１を有した基部１０と、この基部１０に一体化された支持部分２０とを有するという基本構成は、図１５にも示した従来の陳列棚用ブラケットと同様であるが、基部１０に一体化されたストッパ３０を備えた点が従来のそれと基本的に異なる部分である。
【００１６】
本発明に係る陳列用具１００は、図１２の（ａ）〜（ｄ）に示すような衣服を掛けたハンガーを吊下したり、帽子や手袋、バッグ、装身具、時計等の身回品を掛けたりする「陳列用ブラケット」、図１３に示すような陳列棚を受ける「陳列棚用ブラケット」、そして図１４に示すような係止バーを支持する「ハンガーブラケット」等、種々なタイプのものが含まれるものである。
【００１７】
そして、本発明に係る陳列用具１００では、そのストッパ３０を、基部１０に一体化されるベース部材３１と、当該ストッパ３０の前面に形成されて当該陳列用具１００が、壁等に直接形成してある係止穴２１０、あるいは係止穴部材２００の係止穴２１０に取り付けられたとき、この係止穴２１０の周囲に存在する表面２２０に当接して、各係止爪１１の各係止穴２１０への挿入方向に直交する当接面３２とを備えたものとしたことが特徴となっているのである。
【００１８】
なお、ストッパ３０の、基部１０に対する一体化は、例えば図１を代表として示すような、ストッパ３０のベース部材３１を基部１０の何れかの辺に溶接して固着する方法は勿論、図１０または図１１に示すような取付部３６をベース部材３１に取り付けておき、この取付部３６の挿入部３６ａ内に基部１０を挿入してネジ止めする方法等、種々な方法がある。
【００１９】
ここで、ベース部材３１については、後述する実施例におけるように、基部１０に一体化された筒状のものであっても、あるいは、単なるブロック状のものであってもよい。また、後述するような取付部３６を一体化した筒またはブロックでもよい。さらに、このベース部材３１は、図８の（１）〜（３）に示すように、基部１０に対して固定されていても、進退可能になされていてもよく、このベース部材３１が基部１０に対して進退されるようにするにあたっては、後述するスプリング３３やネジ軸３５ｂを介して行われるようなものであってもよいし、単なる手指で行うようなものであってもよい。
【００２０】
一方、当接面３２については、上記条件、つまり、係止穴２１０に取り付けられたときに、係止穴２１０の周囲に存在する表面２２０に当接するという条件を満たすのであれば、固定されたあるいは進退可能にされたブロック状のベース部材３１の前面に形成したり、後述する筒状のベース部材３１の前面、またはこのベース部材３１内に収納される後述する案内部３５の前面、あるいはこれらの前面の合計したものであってもよいものである。いずれにしても、当該ストッパ３０の前面に形成された当接面３２は、各係止穴２１０内に落ち込まないで、壁や係止穴部材２００の表面２２０に対して、当該陳列用具１００の揺動支点を、「点」ではなく当接面３２という「面」にするのである。
【００２１】
以上のように構成した請求項１に係る陳列用具１００を、図１あるいは図２に示した状態に取り付けるには、図３に示すように、まず、壁や陳列什器あるいは係止穴部材２００の取り付けたい位置の係止穴２１０を決定し、これらの係止穴２１０に対して基部１０に形成してある係止爪１１を挿入する。図４の（ａ）に示すように、各係止爪１１が係止穴２１０内に挿入されれば、今度は、当該陳列用具１００全体を少し落とすと、図４の（ｂ）に示すように、各係止爪１１に形成してある係止溝１３が係止穴２１０に係止することになって、当該陳列用具１００の、壁や陳列什器、あるいは係止穴部材２００に対する取り付けが完了するのである。
【００２２】
以上の取付作業時で重要なことは、当該ストッパ３１の前面に形成してある当接面３２が、図４の（ａ）及び（ｂ）に示すように、壁や陳列什器、あるいは係止穴部材２００の表面２２０に当接していることである。図４の（ａ）に示す係止爪１１の各係止穴２１０内での落とし込み時においては、この当接面３２が壁や陳列什器、あるいは係止穴部材２００の表面２２０に当接していることによって、陳列用具１００全体の位置決めを行って落とし込みを安定的に行っているのであり、図４の（ｂ）に示す固定時においては、この当接面３２が表面２２０に当接していることによって、当該陳列用具１００の揺動支点を、「点」ではなく当接面３２という「面」にするのである。勿論、この陳列用具１００を係止穴２１０から取り外すには上述したのとは逆の手順で行えばよいのである。
【００２３】
特に、壁や陳列什器、あるいは係止穴部材２００に固定された陳列用具１００には、当然その支持部分２０側に衣服等の商品が掛けられることになるから、その重みによって、図１中の矢印とは逆の方向の回転力が基部１０に加わることになるが、この力は、当接面３２の「面」による支持をより大きなものにするだけでなく、当該陳列用具１００が、壁や陳列什器等の表面２２０に損傷を与えたり、傷を付けたりすることがなくなるのである。
【００２４】
以上の取付あるいは取り外しのいずれの場合も、ドライバー等の工具を使用しなくても行えるのである。まして、図１５に示した従来例におけるような嵌め込み材の抜き出しや打ち込みを行うことは、本発明に係る陳列用具１００においては一切必要ないのである。
【００２５】
従って、この請求項１の陳列用具１００によれば、通常時の固定を横揺れを生ずることなくしっかりと行えて、脱落防止が図られているだけでなく、その壁や陳列什器あるいは係止穴部材２００に対する取り付けや取り外しは、工具を必要としないで素早く行えるものとなっているのであり、通常の商品交換や店舗改装時は勿論、地震や火災が発生したような緊急時において、取り外しや取り付けが商品の販売を行っている店員でも簡単に行えるのである。
【００２６】
特に、この陳列用具１００によれば、その取付時において、当接面３２が、壁や陳列什器、あるいは係止穴部材２００の表面２２０に当接するに際して、「面」によって支持されているから、商品を掛けたり外したりする際は勿論、緊急時においても横揺れを生じることがなく、商品を掛けたままの陳列用具１００が壁や陳列什器から不用意に脱落したり落下してくることはないのである。
【００２７】
また、以上の課題を解決するために、請求項２に係る発明の採った手段は、上記請求項１に記載の陳列用具１００について、
「ストッパ３０の前面に形成してある当接面３２を、基部１０に対して進退可能にしたこと」
である。
【００２８】
すなわち、この請求項２に係る陳列用具１００では、例えば図８の（３）及び（４）に示すように、そのストッパ３０の前面に形成してある当接面３２を、基部１０に対して進退可能にしてあることが特徴となっているのである。当接面３２を基部１０に対して進退可能にする手段としては、後述する請求項３または請求項４のようなものとして実施することができる他、何であってもよい。
【００２９】
当該陳列用具１００において、当接面３２が基部１０に対して進退可能になっているとは、当接面３２が必要に応じて基部１０から後退させること（図８の（４）では回動させることになる）ができて、その必要性が無くなれば、当接面３２を基部１０に対して進めることができるようになっていることを意味する。
【００３０】
以上のように構成した請求項２に係る陳列用具１００では、その取り付けや取り外し作業がより一層簡単になっているのである。何故なら、当該陳列用具１００を係止穴２１０に取り付ける場合には、各係止爪１１を係止穴２１０内に挿入完了した際、当接面３２が係止穴部材２００等の表面２２０に当接したままであるとその落とし込みが困難になる場合があり得るが、そのような場合には、当該当接面３２を係止穴部材２００等の表面２２０から一旦後退させるようにするのである。そうすると、当接面３２が係止穴部材２００等の表面２２０から少し離れるから、そのまま各係止爪１１の係止穴２１０内での落とし込みが簡単に行える。勿論、取り外し作業の場合には、上記とは反対の手順を踏めばよい。
【００３１】
従って、この請求項２の陳列用具１００は、上記請求項１のそれと同様な機能を発揮する他、取り付け取り外し作業時の操作性をより一層向上させ得るのである。
【００３２】
さらに、以上の課題を解決するために、請求項３に係る発明の採った手段は、上記請求項１または請求項２に記載の陳列用具１００について、
「当接面３２を有する部材を、ベース部材３１に対して螺進螺退可能にしたこと」
である。
【００３３】
すなわち、この請求項３の陳列用具１００では、図４の（ａ）及び（ｂ）、図８の（５）に示すように、ベース部材３１の後端に形成してあるメネジ部３１ａ内にネジ軸３５ｂをねじ込むことができるようにすることにより、当接面３２を有する部材（例えばベース部材３１や案内部３５）が、ベース部材３１に対して螺進螺退可能になっているのである。
【００３４】
以上のように構成した請求項３に係る陳列用具１００では、その取り付けや取り外し作業がより一層簡単になっているのである。何故なら、当該陳列用具１００を係止穴２１０に取り付ける場合には、例えばつまみ３５ｃを使用してネジ軸３５ｂをベース部材３１から螺退させて、図２の（ｂ）中の矢印にて示すように、当該当接面３２を係止穴２１０等の表面２２０から一旦後退させるのである。そうすると、当接面３２が後退して表面２２０から離れるから、そのまま各係止爪１１の係止穴２１０内での落とし込みが簡単に行え、その後に、つまみ３５ｃを使用してネジ軸３５ｂをベース部材３１に対して螺進させて、当該当接面３２を元位置に復帰させれば、固定時に当接面３２全体を表面２２０に当接させることができる。勿論、取り外し作業の場合には、上記とは反対の手順を踏めばよい。
【００３５】
従って、この請求項３の陳列用具１００は、上記請求項１または請求項２のそれと同様な機能を発揮する他、取り付け取り外し作業時の操作性をより一層向上させ得るのである。
【００３６】
次に、上記課題を解決するために、請求項４に係る発明の採った手段は、上記請求項１または請求項２に記載の陳列用具１００について、
「当接面３２を有する部材とベース部材３１との間にスプリング３３を介装して、当接面３２を基部１０に対して進退可能にしたこと」
である。
【００３７】
この請求項４の陳列用具１００では、図４の（ａ）及び（ｂ）、図８の（６）に示すように、当接面３２を有する部材（具体的には案内部３５である）とベース部材３１との間にスプリング３３を介装して、当接面３２を基部１０に対して進退可能にしたものである。「進退可能」とは、当該当接面３２を進退させようとすれば自在に行えることをいい、進退させる力を抜けば元位置に復帰し得る状態にあることをいう。
【００３８】
以上のように構成した請求項４に係る陳列用具１００では、その取り付けや取り外し作業がより一層簡単になっているのである。何故なら、当該陳列用具１００を係止穴２１０に取り付ける場合には、例えばつまみ３５ｃを使用してネジ軸３５ｂをベース部材３１からスプリング３３の付勢力に抗して引いて、当該当接面３２を係止穴部材２００等の表面２２０から一旦後退させるのである。そうすると、当接面３２による当接力が軽減されるから、そのまま各係止爪１１の係止穴２１０内での落とし込みが簡単に行え、その後に、つまみ３５ｃから手を離せばネジ軸３５ｂはスプリング３３の弾性力によってベース部材３１に対して元位置に復帰するから、固定時に必要な十分な当接力を発生させることができる。勿論、取り外し作業の場合には、上記とは反対の手順を踏めばよい。
【００３９】
従って、この請求項４の陳列用具１００は、上記請求項１または請求項２のそれと同様な機能を発揮する他、取り付け取り外し作業時の操作性をより一層向上させ得るのである。
【００４０】
また、上記課題を解決するために、請求項５に係る発明の採った手段は、上記請求項１〜請求項４の何れかに記載の陳列用具１００について、
「当接面３２の一部に、係止穴２１０内に侵入し得る係止ピン３４を設けたこと」
である。
【００４１】
すなわち、この請求項５の陳列用具１００では、図１にも示すように、当接面３２の一部に、係止穴２１０内に侵入し得る係止ピン３４が設けてあるのであり、この係止ピン３４によって、当該陳列用具１００の係止穴２１０に対する取り付けが確実に行えるようにしたものである。
【００４２】
係止ピン３４は、当接面３２が係止穴部材２００等の表面２２０に当接しているときの当接力の他に、係止穴２１０内に係合するということにより、当該陳列用具１００の係止穴部材２００等に対する固定が確実になるようにするものである。換言すれば、この係止ピン３４が、図１または図２の（ａ）に示したように、係止穴２１０内に完全に係合していれば、当該陳列用具１００の係止穴部材２００等に対する固定が完全になっているとともに、当該陳列用具１００が図１の手前や紙背方向に揺れたとしても、当該係止ピン３４の係止穴２１０に対する係合によって、陳列用具１００が揺れたり外れたりすることはないのである。
【００４３】
また、この係止ピン３４は、当該陳列用具１００を係止穴２１０に取り付ける場合は、係止穴２１０内に対して表面２２０側から裏面２３０側へ差し込まれ、あるいは、当該陳列用具１００を係止穴２１０から取り外す場合は、上述したのとは反対に抜き出されるのであるが、その際の摩擦力は殆ど発生しない。つまり、この係止ピン３４は、固定時の維持を図ることはするが、陳列用具１００の係止穴部材２００等に対する取り付けや取り外し作業に邪魔になるものではないのである。
【００４４】
従って、この請求項５に係る陳列用具１００は、上記請求項１〜請求項４の何れかに記載の陳列用具１００と同様な機能を発揮する他、係止ピン３４によって固定時の安定をより一層図ることができるものとなっているのである。
【００４５】
そして、請求項６に係る発明の採った手段は、上記請求項１に記載の陳列用具１００について、
「ストッパ３０側のベース部材３１に、係止穴２１０内に侵入し得る係止ピン３４を進退可能に設けたこと」
である。
【００４６】
すなわち、この請求項６の陳列用具１００は、図９に示すように、ストッパ３０側のベース部材３１に、係止穴２１０内に侵入し得る係止ピン３４を進退可能に設けたものである。係止ピン３４が進退可能であることは、上記請求項５の場合に比して、ストッパ３０側のベース部材３１に対する規制がないことを意味している。
【００４７】
換言すれば、この請求項６の係止ピン３４は、当接面３２の存在とは独立して係止ピン３４が進退し、係止穴部材２００の係止穴２１０内に係合し得るようにしたものである。例えば、当接面３２が係止穴部材２００等の表面２２０に当接したままの状態で係止ピン３４が進退し、係止穴２１０内に係合し得るもの、逆に言えば、当接面３２が係止穴部材２００等の表面２２０に当接したまま表面２２０上を移動して行き、先端に係止穴２１０が来たときに初めて係止ピン３４が突出してその係止穴２１０内に係合するような場合を想定しているものである。
【００４８】
従って、この請求項６の陳列用具１００は、上記請求項１のそれと同様な機能を発揮する他、係止ピン３４を当接面３２から自在に出入し得るものとして、取り付け及び取り外し作業をより一層簡単にし得るものとなっているのである。
【００４９】
そして、上記課題を解決するために、請求項７に係る発明の採った手段は、
「壁や陳列什器、あるいは係止穴部材２００に設けられた係止穴２１０に挿入して係合される係止爪１１を有した基部１０、またはこの基部１０に一体化された支持部分２０に取り付けられて、物品を陳列するための陳列用具を固定するストッパ３０であって、
このストッパ３０を、基部１０または支持部分２０に連結されるベース部材３１と、当該ストッパ３０の前面に形成されて当該陳列用具が係止穴２１０に取り付けられたとき、壁や陳列什器または係止穴部材２００の表面２２０に当接して、各係止爪１１の挿入方向に直交する当接面３２とを備えたものとしたことを特徴とするストッパ３０」
である。
【００５０】
すなわち、この請求項７に係る発明は、上述した陳列用具１００を構成しているストッパ３０に関するものであり、壁や陳列什器、あるいは係止穴部材２００に設けられた係止穴２１０に挿入して係合される係止爪１１を有した基部１０、またはこの基部１０に一体化された支持部分２０に、所謂「後付」で取り付けられるものを規定しているものである。つまり、この請求項７のストッパ３０は、物品を陳列するための陳列用具を固定するものであって、当該ストッパ３０を有していない陳列用具を想定し、このストッパ３０を有していない陳列用具に後付される場合を想定しているものである。
【００５１】
換言すれば、この請求項７で述べている陳列用具は、上記請求項１〜請求項６で述べてきた係止爪１１を有する基部１０や、種々な形状の支持部分２０は有するが、上記請求項１〜請求項６で述べたそれとは異なってストッパ３０を含まないものであり、現在市販されている一般的なものを含むものである。
【００５２】
この請求項７に係るストッパ３０は、前述した請求項１〜請求項６のそれと同様に、基部１０または支持部分２０に連結されるベース部材３１と、当該ストッパ３０の前面に形成されて当該陳列用具が係止穴２１０に取り付けられたとき、この係止穴部材２００等の表面２２０に当接して、各係止爪１１の挿入方向に直交する当接面３２とを備えたものであるから、このストッパ３０の作用及び機能については、上記請求項１の発明で述べたのと同様である。
【００５３】
また、この請求項７に係るストッパ３０については、上述した請求項２〜請求項６で述べたような部材を付加することができて、請求項２〜請求項６で述べたのと同様な作用及び機能を有する陳列用具１００とすることが可能である。
【００５４】
従って、この請求項７に係るストッパ３０は、これを陳列用具に取り付けたとき、この陳列用具を、通常時の固定を横揺れ、あるいは脱落を生ずることなくしっかりと行えるだけでなく、係止穴部材２００に対する取り付け及び取り外しが簡単に行え、通常展示時には係止穴部材２００に対して横揺れしないように簡単に固定できるものとし得るものである。
【発明の効果】
【００５５】
以上説明した通り、本発明においては、
「壁や陳列什器、あるいは係止穴部材２００に設けられた係止穴部材２００の係止穴２１０に取り付けられて、物品を陳列するために使用される陳列用具１００であって、
係止穴２１０に挿入して係合される係止爪１１を有した基部１０と、この基部１０に一体化された支持部分２０と、基部１０に一体化されたストッパ３０とを備え、
このストッパ３０を、基部１０に一体化されるベース部材３１と、当該ストッパ３０の前面に形成されて当該陳列用具１００が係止穴２１０に取り付けられたとき、この係止穴２１０の周囲に存在する、前記壁や陳列什器、または係止穴部材２００の表面２２０に当接して、各係止爪１１の挿入方向に直交する当接面３２とを備えたものとしたこと」
にその構成上の主たる特徴があり、これにより、係止穴部材２００に対する取り付け及び取り外しが簡単に行えるだけでなく、通常展示時には、脱落を防止することができて、係止穴２１０に対して横揺れしないように固定できる陳列用具１００を、簡単な構造によって提供することができるのである。
【００５６】
つまり、この陳列用具１００の係止穴２１０に対する取り付けや取り外しは、工具を必要としないで素早く行えるものとなっているのであり、通常の商品交換や店舗改装時は勿論、地震や火災が発生したような緊急時においても、商品の販売を行っている作業経験のない店員でも簡単に行えるのである。
【００５７】
また、この陳列用具１００によれば、その取付時において、当接面３２が大きな当接面積で係止穴部材２００等の表面２２０に当接するため、係止穴２１０にしっかりと固定されているから、商品を掛けたり外したりする際は勿論、緊急時においても横揺れを生じることがなく、商品を掛けたままの陳列用具１００が壁や陳列什器から不用意に落下してくることはないのである。
【発明を実施するための最良の形態】
【００５８】
次に、以上のように構成した各請求項に係る発明を、図面に示した最良の形態に基づいて説明するが、図１〜図９には、請求項１〜請求項６に係る陳列用具１００について示してあって実施例１としている。また、図１０及び図１１には、請求項７に係るストッパ３０について示してあって実施例２としている。
【００５９】
（実施例１）
図１には、本発明に係る陳列用具１００について、その各係止爪１１を係止穴２１０内に係合させて、当該陳列用具１００の係止穴部材２００に対する固定が完了した状態が示してあるが、係止穴部材２００は、図１２に示したように、壁の一部に埋め込まれた状態で取り付けられることも、また陳列什器や陳列ケースの一部に設けられることもある。また、係止穴２１０についても、陳列什器や陳列ケースの一部に直接設けられることもある。勿論、この係止穴部材２００は、図１にも示したように、店舗内に露出する表面２２０と、この表面２２０の反対側面となる、例えば図２の（ａ）に示したような裏面２３０とを有しているものであり、各係止穴２１０は同じピッチで形成したものである。
【００６０】
また、衣服や装身具等を陳列するための陳列用具１００は、当然のことながら、図１や図１２に示したように、上述した係止穴部材２００の係止穴２１０に挿入して係合される係止爪１１を有した基部１０と、この基部１０に一体化された支持部分２０と、を有しており、これらの基部１０や支持部分２０は種々な態様のものが採用される。
【００６１】
基部１０は、図１〜図７等の随所において示したように、少なくとも２本の係止爪１１を有している。この係止爪１１は、１本であると、当該陳列用具１００全体の係止穴部材２００に対する取り付けや固定が良好に行えないため、少なくとも２本で係止穴部材２００側の２つの係止穴２１０内に係合できるようにしてるのが一般的である。勿論、必要に応じて、これら係止爪１１の本数は適宜選択される。
【００６２】
各係止爪１１についてみてみると、図３、図５、図６、または図７の（ａ）にて示したように、その先端下部にあご部１２を有していて、このあご部１２の直ぐ直後（係止穴部材２００とは反対側になる方）に係止溝１３が形成してある。各あご部１２は、図４の（ｂ）に示したように、係止穴部材２００の内側面（図４では図示左側面）に当接して、係止溝１３内に係止穴部材２００の一部をしっかりと保持する役目を果たすものである。
【００６３】
以上の基部１０の一側には支持部分２０が溶接などによって一体化してあるが、この支持部分２０としては、図１２に示したように、種々な形態のものがあり、このため、係止爪１１を有する基部１０に対する一体化がなされる端面は、この基部１０の上面だったり、下面だったり、図１に示したように、側面であったりするのである。
【００６４】
この支持部分２０には、図１にも示したようなハンガー掛け２１が取り付けられることもある。また、この支持部分２０の基部１０側下端部は、図５及び図６に示したように、丸味を付けたり、別部材の丸味部２２を取り付けたりして、それより下方に位置するつまみ３５ｃの操作性が良好となるように（例えば怪我をしないように）してある。
【００６５】
基部１０に一体化されたストッパ３０は、本発明の重要構成要素となるものであるが、本最良形態のストッパ３１では、図７に示したように、基部１０に一体化されるベース部材３１と、このベース部材３１内に進退可能に収納される案内部３５と、この案内部３５がベース部材３１から突出するように付勢するスプリング３３と、案内部３５の先端に一体化した係止ピン３４とを備えたものである。
【００６６】
また、このストッパ３１は、その前面に当接面３２を有したものであるが、この当接面３２としては、当該ストッパ３１をどのような部材によって構成するかによって異なってくる。本最良形態における当接面３２は、後述する筒状のベース部材３１の先端面と、案内部３５の先端面の両方の合計となっているものである。
【００６７】
当接面３２は、上記ストッパ３０の前面に直接形成されることもあるが、当該陳列用具１００が係止穴２１０に取り付けられたとき、この係止穴部材２００等の表面２２０に当接して、各係止爪１１の挿入方向に直交するものであるという条件を有したものである。従って、この当接面３２としては、後述するベース部材３１と案内部３５の両前端面である場合のように、分割して考えることもあるものである。
【００６８】
基部１０に一体化されるベース部材３１は、他の部材を基部１０側に連結したり取り付けたりするためのもので、例えばブロック状のもの等種々な形態のものが採用されるが、本最良形態では、有底筒状のものとした。勿論、この「筒状」とは、実施例のような円筒の場合は勿論、案内部３５の回転を阻止するために楕円状のものとしたり、完全に四角形状のものとしたりする場合を言い、「有底」であることは必ずしも必要ではない。このベース部材３１が「有底」であった方が、後述するように、この底部にメネジ部３１ａを形成する上で有利となることは言うまでもない。
【００６９】
以上の、最良形態に係る筒状のベース部材３１内には、図７の（ａ）等に示したように、同軸的な支持軸３５ａとネジ軸３５ｂとによって支持された案内部３５が進退可能に収納されている。そして、この案内部３５は、支持軸３５ａに介装したスプリング３３によって常に突出方向に付勢されている。勿論、この案内部３５をスプリング３３によって突出させるようにするためには、その支持軸３５ａにネジ軸３５ｂを一体化する必要はないが、このネジ軸３５ｂをベース部材３１のメネジ部３１ａに螺合させておくことにより、次のように有利となる。
【００７０】
最良形態では、そのネジ軸３５ｂの外端につまみ３５ｃを一体化したものであり、当該ネジ軸３５ｂをこのつまみ３５ｃの操作によって螺進螺退できるようにしてある。つまり、当該案内部３５は、スプリング３３の付勢力によって常に突出する方向に付勢されてはいるが、この案内部３５をベース部材３１内に収納したい場合には、このスプリング３３の付勢力に抗して、つまみ３５ｃによってメネジ部３１ａに螺合しているネジ軸３５ｂを強制的に回転させるのである。逆に、スプリング３３の付勢力とともに、さらに案内部３５の前面の当接面３２を係止穴部材２００等の表面２２０に強力に押し付けたい場合には、つまみ３５ｃを上記とは反対側に回転させるのである。なお、このネジ軸３５ｂやこれが螺合するメネジ部３１ａがない場合には、つまみ３５ｃは単に案内部３５を押し引きされるだけに使用される。
【００７１】
そして、本最良形態では、図７の（ｄ）にも示したように、案内部３５の前端面に係止ピン３４が一体化してあるが、これらの案内部３５と係止ピン３４とを同一材料によって形成することもなされる。この係止ピン３４は、上述した係止穴２１０内に、図２の（ａ）及び（ｂ）に示したように、係合し得るものであり、案内部３５が回転されることもあることを想定して、丸棒としたものである。
【００７２】
以上の係止ピン３４が係止穴２１０内に係合すれば、当該陳列用具１００全体の位置決めが完全になるのであり、当接面３２が係止穴部材２００等の表面２２０に当接していることとも相まって、当該陳列用具１００の係止穴２１０に対する安定的な固定を行うことになるものである。
【００７３】
（実施例２）
さて、図１０及び図１１には、請求項７に係るストッパ３０が示してあるが、このストッパ３０は、物品を陳列するための陳列用具１００を、係止穴２１０に固定するものである。換言すれば、これらの図１０及び図１１に示したストッパ３０は、上述してきた請求項１〜請求項６におけるストッパ３０を有さない陳列用具１００に後付で取り付けられるものであり、これにより、上述してきた請求項１〜請求項６における陳列用具１００と同様な機能と作用を発揮させることになるものである。
【００７４】
このストッパ３０は、基部１０または支持部分２０に連結されるベース部材３１と、当該ストッパ３０の前面に形成されて当該陳列用具１００が係止穴２１０に取り付けられたとき、係止穴部材２００等の表面２２０に当接して、少なくとも係止穴２１０よりも大きいとともに、各係止爪１１の挿入方向に直交する当接面３２とを備えたものであることは、上述してきたストッパ３０と同様であり、また、上述した最良形態におけるように、スプリング３３、係止ピン３４、あるいは案内部３５を必要に応じて有したものとすることも、上述した最良形態におけるストッパ３０と同様である。
【００７５】
この実施例２のストッパ３０は、図１０及び図１１に示したように、そのベース部材３１に取付部３６が取り付けられており、この取付部３６によって、当該ストッパ３０は、壁や陳列什器、あるいは係止穴部材２００に設けられた係止穴２１０に挿入して係合される係止爪１１を有した基部１０、またはこの基部１０に一体化された支持部分２０に取り付けられるものである。
【００７６】
すなわち、図１０に示した取付部３６は、ベース部材３１側に固定された部分と、このベース部材３１側部分に対してネジ軸を介して平行移動し得る上側部分とからなるものであり、これらのベース部材３１側部分と上側部分の各対向面に、係止爪１１を有する基部１０を挿入するための挿入部３６ａを形成したものである。一方、図１１に示した取付部３６は、ベース部材３１側に固定された門型形状のものであり、その内側に、係止爪１１を有する基部１０を挿入するための挿入部３６ａを形成したものである。
【００７７】
以上のように構成したストッパ３０は、当該ストッパ３０を有さない陳列用具１００を係止穴２１０側に固定するにあたって、図１０及び図１１の（ａ）に示したように、その各挿入部３６ａ内に基部１０を各係止爪１１とともに挿入するのである。そして、図１０及び図１１の（ｂ）に示したように、ネジ軸またはナットを回動させることにより、当該ストッパ３０を基部１０に固定して一体化するのであるが、この場合、基部１０が有している係止溝１３が完全に露出し得るようにする必要がある。係止溝１３が係止穴２１０に完全に係合し得るようにするためである。
【００７８】
以上の説明から理解できるように、当該ストッパ３０は、市販されている一般的な陳列用具であって、係止穴２１０に係止される係止爪１１を一体化した基部１０を有するものであれば、簡単に取り付けて一体化できるから、市販の陳列用具を上記請求項１〜請求項６の陳列用具１００に変えることができるのである。
【産業上の利用可能性】
【００７９】
以上のように構成した本発明に係る陳列用具１００は、壁、陳列什器、あるいは係止穴部材２００に対する取り付け及び取り外しが簡単に行え、通常展示時には、当該陳列用具１００が係止穴部材２００に対して横揺れしないように簡単に固定できることは前述した通りであるが、店舗改装者の業務も発展させる可能性を有している。何故なら、当該陳列用具１００は、上述したように、簡単な作業で取り付けや取り外しが行えるため、改装作業を短時間で効率よく行えるからである。
【００８０】
勿論、当該陳列用具１００は固定状態がしっかりとしているし、取り外しが簡単に行えるから、衣服などの販売店自身による店舗改装が簡単に行えるだけでなく、緊急時の安全性確保にも十分役立つものであり、当該販売店の信用確保にも繋げることができる。
【図面の簡単な説明】
【００８１】
【図１】本発明に係る陳列用具を係止穴部材に取り付けた状態を示す側面図である。
【図２】図１の陳列用具を部分的に拡大して示したもので、（ａ）は係止穴部材の裏面からみた部分拡大裏面図、（ｂ）はそのときの側面図である。
【図３】図１に示した陳列用具を係止穴部材に取り付ける前の状態を示す側面図である。
【図４】同陳列用具の各係止爪が係止穴内に係合されて係止穴部材の表面に固定されるまでの状態を示すもので、（ａ）は各係止爪が係止穴内に係合されたときの部分側面図、（ｂ）は当該陳列用具が係止穴部材の表面に固定されたときの部分側面図である。
【図５】支持部分が比較的細い陳列用具を示すもので、（ａ）は部分側面図、（ｂ）は部分正面図である。
【図６】支持部分が比較的太い陳列用具を示すもので、（ａ）は部分側面図、（ｂ）は部分正面図である。
【図７】本発明に係るストッパを示すもので、（ａ）は全体を基部に取り付けた状態の側面図、（ｂ）はベース部材の縦断面図、（ｃ）はスプリングの側面図、（ｄ）は、一体化された案内部、支持軸、ネジ軸、及びつまみの側面図である。
【図８】本発明の、（１）〜（６）の６種類に亘る他の態様を示す概略側面図である。
【図９】請求項６に係る陳列用具を説明する側面図である。
【図１０】請求項７に係るストッパの一例を示すもので、（ａ）は当該ストッパに基部を挿入している様子を示す斜視図、（ｂ）は当該ストッパを基部に固定した様子を示す斜視図である。
【図１１】請求項７に係るストッパの他の例を示すもので、（ａ）は当該ストッパに基部を挿入している様子を示す斜視図、（ｂ）は当該ストッパを基部に固定した様子を示す斜視図である。
【図１２】係止穴部材に取り付けられるべき陳列用具を、（ａ）〜（ｄ）の４種類に分けて示した斜視図である。
【図１３】本発明に係る陳列用具の他の適用例を示す斜視図である。
【図１４】本発明に係る陳列用具のさらに他の適用例を示す斜視図である。
【図１５】従来技術を示す側面図である。
【符号の説明】
【００８２】
１００    陳列用具
１０    基部
１１    係止爪
１２    あご部
１３    係止溝
２０    支持部分
２１    ハンガー掛け
２２    丸味部
３０    ストッパ
３１    ベース部材
３１ａ  メネジ部
３２    当接面
３３    スプリング
３４    係止ピン
３５    案内部
３５ａ  支持軸
３５ｂ  ネジ軸
３５ｃ  つまみ
３６    取付部
３６ａ  挿入部
２００    係止穴部材
２１０    係止穴
２２０    表面
２３０    裏面
【図１】
2010051341.tif 000003
【図２】
2010051341.tif 000004
【図３】
2010051341.tif 000005
【図４】
2010051341.tif 000006
【図５】
2010051341.tif 000007
【図６】
2010051341.tif 000008
【図７】
2010051341.tif 000009
【図８】
2010051341.tif 000010
【図９】
2010051341.tif 000011
【図１０】
2010051341.tif 000012
【図１１】
2010051341.tif 000013
【図１２】
2010051341.tif 000014
【図１３】
2010051341.tif 000015
【図１４】
2010051341.tif 000016
【図１５】
2010051341.tif 000017